(57)【要約】  複数の発光装置（１０）は、複数の発光装置（１０ａ）、複数の発光装置（１０ｂ）及び複数の発光装置（１０ｃ）を含んでいる。複数の発光装置（１０）は、反射部材（２０）上に並べられている。６つの発光装置（１０ｃ）が一方向に沿って一直線上に並んでいる。４つの発光装置（１０ｂ）が６つの発光装置（１０ｃ）の一端に対向する領域を囲むように並んでいる。４つの発光装置（１０ａ）のそれぞれが４つの発光装置（１０ｂ）の外側で４つの発光装置（１０ｂ）のそれぞれと並んでいる。
2019078318.tif 000002
【特許請求の範囲】
【請求項１】
基板の第１面の上に位置する第１電極と、
前記第１電極の上に位置する有機層と、
前記有機層の上に位置し、第１方向に延在する第１群の第２電極と、
前記有機層の上に位置し、前記第１方向と交わる第２方向に延在する第２群の第２電極と、
を備え、
前記第１面は、前記第１群の第２電極が位置する第１領域と、前記第２群の第２電極が位置する第２領域と、前記第１領域と前記第２領域の間にあって第２電極が位置しない第３領域と、を含む発光装置。
【請求項２】
請求項１に記載の発光装置において、
前記第１群の第２電極に接続した第１端子と、
前記第２群の第２電極に接続した第２端子と、
を備え、
前記第１端子は、前記第１群の第２電極を挟んで前記第３領域の反対側に位置しており、
前記第２端子は、前記第２群の第２電極を挟んで前記第３領域の反対側に位置している発光装置。
【請求項３】
請求項２に記載の発光装置において、
前記第２端子から前記第３領域までの距離は、前記第１端子から前記第３領域までの距離と実質的に等しい発光装置。
【請求項４】
請求項１から３までのいずれか一項に記載の発光装置において、
前記第１群の第２電極と前記第２群の第２電極は、前記第３領域に関して実質的に対称に配置された一対の第２電極を含んでおり、
前記一対の第２電極のうちの一方の長さ及び幅は、前記一対の第２電極のうちのもう一方の長さ及び幅とそれぞれ実質的に等しい発光装置。
【請求項５】
請求項１から４までのいずれか一項に記載の発光装置において、
前記第１電極は、互いに分離された複数のセグメントを有しており、
前記複数のセグメントは、前記第１群の第２電極及び前記第２群の第２電極の延在方向に交わる方向に沿って並んでいる発光装置。
【請求項６】
請求項１から５までのいずれか一項に記載の発光装置において、
前記第１電極は、前記第１領域から前記第３領域を経由して前記第２領域にかけて連続して延在している発光装置。
【請求項７】
請求項１から６までのいずれか一項に記載の発光装置において、
前記第１群の第２電極のうち隣り合う第２電極の間に透光部を備え、
前記第２群の第２電極のうち隣り合う第２電極の間に透光部を備える発光装置。
【請求項８】
基板の第１面の上に位置する第１電極と、
前記第１電極の上に位置する有機層と、
前記有機層の上に位置し、第１方向に延在する第１群の第２電極と、
前記有機層の上に位置し、前記第１方向と交わる第２方向に延在する第２群の第２電極と、
を備え、
前記第１群の第２電極のうちの少なくとも１つは、前記第２群の第２電極のいずれとも交わっていない発光装置。
【請求項９】
請求項８に記載の発光装置において、
前記第１群の第２電極のうちのすべてが前記第２群の第２電極のいずれとも交わっていない発光装置。
【請求項１０】
発光部及び透光部を有する第１発光装置と、
第２発光装置と、
反射部材と、
を備え、
前記第２発光装置から発せられて前記反射部材によって反射された光の少なくとも一部が前記第１発光装置の前記透光部を透過する発光モジュール。
【請求項１１】
請求項１０に記載の発光モジュールにおいて、
前記第２発光装置は、第１面と、前記第１面の反対側の第２面と、を有し、前記第１面及び前記第２面の双方から光を発することが可能であり、
前記第２発光装置は、前記第２面が前記反射部材と対向するように配置されている発光モジュール。
【請求項１２】
請求項１１に記載の発光モジュールにおいて、
前記第２発光装置の前記第１面又は前記第２面に直交する方向において、前記第１発光装置の一部は、前記第２発光装置の一部と重なっている発光モジュール。
【請求項１３】
請求項１１又は１２に記載の発光モジュールにおいて、
前記第２発光装置は、第１面及び前記第１面とは反対側の第２面を有する第１発光部材と、第１面及び前記第１面とは反対側の第２面を有する第２発光部材と、を含み、
前記第１発光部材は、前記第１発光部材の前記第２面から光を発することが可能であり、
前記第２発光部材は、前記第２発光部材の前記第２面から光を発することが可能であり、
前記第２発光部材は、前記第２発光部材の前記第１面が前記第１発光部材の前記第１面に対向するように、前記第１発光部材に接合されている発光モジュール。
【請求項１４】
請求項１０から１３までのいずれか一項に記載の発光モジュールにおいて、
前記第２発光装置から発せられる光の波長は、前記第１発光装置から発せられる光の波長と実質的に等しい発光モジュール。
【請求項１５】
請求項１０から１３までのいずれか一項に記載の発光モジュールにおいて、
前記第２発光装置から発せられる光の波長は、前記第１発光装置から発せられる光の波長と異なる発光モジュール。
【請求項１６】
第１方向に並ぶ複数の発光装置を備え、
前記複数の発光装置は、前記複数の発光装置の一方の側に位置する領域に向けて光を発し、
前記複数の発光装置は、前記第１方向及び前記複数の発光装置の光の照射方向である第２方向の双方に沿った断面における配光分布において、互いに異なる方向にピークを有する発光モジュール。
【請求項１７】
請求項１６に記載の発光モジュールにおいて、
前記複数の発光装置は、第１発光装置、第２発光装置及び第３発光装置を前記第１方向に沿って順に含み、
前記第１方向に対する前記ピークの方向の角度が前記第１発光装置、前記第２発光装置及び前記第３発光装置の順に大きく、又は小さくなっている発光モジュール。
【請求項１８】
請求項１６又は１７に記載の発光モジュールにおいて、
前記複数の発光装置のそれぞれの発光領域の面積が実質的に等しい発光モジュール。
【請求項１９】
請求項１６から１８までのいずれか一項に記載の発光モジュールにおいて、
前記複数の発光装置は、前記断面に沿った方向から見て、前記領域に向けて凸に湾曲している発光モジュール。
【請求項２０】
請求項１９に記載の発光モジュールにおいて、
前記複数の発光装置は、実質的に等しい曲率で湾曲している発光モジュール。
【請求項２１】
請求項１９に記載の発光モジュールにおいて、
前記複数の発光装置は、互いに異なる曲率で湾曲している発光モジュール。
【請求項２２】
第１領域と、前記第１領域と異なる第２領域と、を有する支持部材と、
前記支持部材の前記第１領域に取り付けられた発光装置と、
第１開口を有する遮蔽部材と、
を備え、
前記支持部材のうちの前記第１領域及び前記第２領域は、前記第１開口を挟んで互いに反対側に位置しており、
前記支持部材の前記第２領域は、前記遮蔽部材に対して前記第２領域と同じ側に位置する部材に固定されている発光モジュール。
【請求項２３】
請求項２２に記載の発光モジュールにおいて、
前記発光装置に接続され、前記第１領域から前記第２領域を経由して前記支持部材の外側まで延在している第１配線部材をさらに備え、
前記第１配線部材は、前記遮蔽部材の前記第１開口を通過している発光モジュール。
【請求項２４】
請求項２３に記載の発光モジュールにおいて、
前記第１配線部材は、前記遮蔽部材に対して前記第１領域と同じ側に位置する部分を含み、前記第１配線部材の前記部分は、遮蔽膜に覆われている発光モジュール。
【請求項２５】
請求項２２から２４までのいずれか一項に記載の発光モジュールにおいて、
前記支持部材は、前記第１領域を挟んで前記第２領域の反対側に第３領域を有し、
前記遮蔽部材は、第２開口を有し、
前記支持部材のうちの前記第１領域及び前記第３領域は、前記第２開口を挟んで互いに反対側に位置しており、
前記支持部材の前記第３領域は、前記遮蔽部材に対して前記第２領域と同じ側に位置する部材に固定されている発光モジュール。
【請求項２６】
請求項２５に記載の発光モジュールにおいて、
前記発光装置に接続され、前記第１領域から前記第３領域を経由して前記支持部材の外側まで延在している第２配線部材をさらに備え、
前記第２配線部材は、前記遮蔽部材の前記第２開口を通過している発光モジュール。
【請求項２７】
請求項２６に記載の発光モジュールにおいて、
前記第２配線部材は、前記遮蔽部材に対して前記第１領域と同じ側に位置する部分を含み、前記第２配線部材の前記部分は、遮蔽膜に覆われている発光モジュール。
【請求項２８】
請求項２５から２７までのいずれか一項に記載の発光モジュールにおいて、
前記支持部材の前記第１領域は、前記第１開口から前記第２開口にかけて湾曲している発光モジュール。
【発明の詳細な説明】
【技術分野】
【０００１】
本発明は、発光装置及び発光モジュールに関する。
【背景技術】
【０００２】
近年、様々な発光装置が開発されており、特に湾曲可能な発光装置が開発されている。湾曲可能な発光装置は、可撓性を有する基板を有している。基板の可撓性によって、発光装置は、湾曲可能になっている。発光装置を他の部材（例えば、他の発光装置、発光装置を設置するための構造又は発光装置に電力を供給するための構造）と組み合わせることで発光モジュールを構成することができる。【０００３】
特許文献１及び２には、湾曲可能な発光パネルの一例について記載されている。発光パネルの形状は、一方向に長辺を有する矩形となっている。発光パネルは、この一方向に沿って湾曲されている。【０００４】
特許文献３には、湾曲可能な表示装置の一例について記載されている。表示装置は、第１表示部及び第２表示部を有している。表示装置は、第１表示部及び第２表示部が互いに異なる方向を向くように湾曲可能となっている。
【先行技術文献】
【特許文献】
【０００５】
【特許文献１】特開２０１６−２２５２０９号公報
【特許文献２】特開２０１７−５８６９４号公報
【特許文献３】特開２０１７−７２６６８号公報
【発明の概要】
【発明が解決しようとする課題】
【０００６】
本発明者は、新規な構造を有する発光装置及び発光モジュールを検討した。【０００７】
本発明が解決しようとする課題としては、新規な構造を有する発光装置及び発光モジュールを提供することが一例として挙げられる。
【課題を解決するための手段】
【０００８】
請求項１に記載の発明は、
基板の第１面の上に位置する第１電極と、
前記第１電極の上に位置する有機層と、
前記有機層の上に位置し、第１方向に延在する第１群の第２電極と、
前記有機層の上に位置し、前記第１方向と交わる第２方向に延在する第２群の第２電極と、
を備え、
前記第１面は、前記第１群の第２電極が位置する第１領域と、前記第２群の第２電極が位置する第２領域と、前記第１領域と前記第２領域の間にあって第２電極が位置しない第３領域と、を含む発光装置である。【０００９】
請求項８に記載の発明は、
基板の第１面の上に位置する第１電極と、
前記第１電極の上に位置する有機層と、
前記有機層の上に位置し、第１方向に延在する第１群の第２電極と、
前記有機層の上に位置し、前記第１方向と交わる第２方向に延在する第２群の第２電極と、
を備え、
前記第１群の第２電極のうちの少なくとも１つは、前記第２群の第２電極のいずれとも交わっていない発光装置である。【００１０】
請求項１０に記載の発明は、
発光部及び透光部を有する第１発光装置と、
第２発光装置と、
反射部材と、
を備え、
前記第２発光装置から発せられて前記反射部材によって反射された光の少なくとも一部が前記第１発光装置の前記透光部を透過する発光モジュールである。【００１１】
請求項１６に記載の発明は、
第１方向に並ぶ複数の発光装置を備え、
前記複数の発光装置は、前記複数の発光装置の一方の側に位置する領域に向けて光を発し、
前記複数の発光装置は、前記第１方向及び前記複数の発光装置の光の照射方向である第２方向の双方に沿った断面における配光分布において、互いに異なる方向にピークを有する発光モジュールである。【００１２】
請求項２２に記載の発明は、
第１領域と、前記第１領域と異なる第２領域と、を有する支持部材と、
前記支持部材の前記第１領域に取り付けられた発光装置と、
第１開口を有する遮蔽部材と、
を備え、
前記支持部材のうちの前記第１領域及び前記第２領域は、前記第１開口を挟んで互いに反対側に位置しており、
前記支持部材の前記第２領域は、前記遮蔽部材に対して前記第２領域と同じ側に位置する部材に固定されている発光モジュールである。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】実施形態に係る発光モジュールを示す図である。
【図２】図１に示した発光装置を示す平面図である。
【図３】図２から第２電極を取り除いた図である。
【図４】図２のＡ−Ａ断面図である。
【図５】図２から図４に示した発光装置の第２電極の形成に用いられるマスクを示す平面図である。
【図６】比較例に係るマスクを示す平面図である。
【図７】図２の変形例を示す図である。
【図８】図７に示した発光装置の第２電極の形成に用いられるマスクを示す平面図である。
【図９】図１に示した発光装置及び発光装置の配置（発光モジュール）の第１例を説明するための図である。
【図１０】図９の第１の変形例を示す図である。
【図１１】図９の第２の変形例を示す図である。
【図１２】図９に示した発光装置の第１例を説明するための図である。
【図１３】図１２に示した発光部材を示す平面図である。
【図１４】図１３から第２電極を取り除いた図である。
【図１５】図１３のＢ−Ｂ断面図である。
【図１６】図９に示した発光装置の第２例を説明するための図である。
【図１７】図９に示した発光装置の第３例を説明するための図である。
【図１８】図１に示した複数の発光装置の配置（発光モジュール）の一例を説明するための図である。
【図１９】図１８に示した複数の発光装置を基板の第２面側から見た図である。
【図２０】図１９のＣ−Ｃ断面図である。
【図２１】図２０の変形例を示す図である。
【図２２】発光装置を支持部材に取り付ける方法を説明するための図である。
【図２３】図２２のＤ−Ｄ断面図である。
【図２４】図２２に示した支持部材を設置する方法（発光モジュール）を説明するための図である。
【図２５】図２２の変形例を示す図である。
【発明を実施するための形態】
【００１５】
以下、本発明の実施の形態について、図面を用いて説明する。尚、すべての図面において、同様な構成要素には同様の符号を付し、適宜説明を省略する。
【００１６】
図１は、実施形態に係る発光モジュールを示す図である。
【００１７】
発光モジュールは、複数の発光装置１０及び反射部材２０を備えている。複数の発光装置１０は、複数の発光装置１０ａ、複数の発光装置１０ｂ及び複数の発光装置１０ｃを含んでいる。複数の発光装置１０は、反射部材２０上に並べられている。各発光装置１０から発せられた光が反射部材２０に映ることで、反射部材２０を備えない発光モジュールとは異なった美感を起こさせることができる。
【００１８】
図１に示す例では、６つの発光装置１０ｃが一方向に沿って一直線上に並んでおり、４つの発光装置１０ｂが６つの発光装置１０ｃの一端に対向する領域を囲むように並んでおり、４つの発光装置１０ａのそれぞれが４つの発光装置１０ｂの外側で４つの発光装置１０ｂのそれぞれと並んでいる。
【００１９】
発光装置１０ａ及び発光装置１０ｂから発せられる光の色と発光装置１０ｃから発せられる光の色は、互いに異ならせてもよい。一例において、発光装置１０ａ及び発光装置１０ｂのそれぞれが赤色の光を発し、発光装置１０ｃが黄色の光を発してもよい。この例においては、発光装置１０ａ及び発光装置１０ｂの組と発光装置１０ｃの違いを際立たせることができる。
【００２０】
図１に示す発光モジュールは、様々な用途に用いることができる。発光モジュールは、例えば、自動車のテールランプに用いることができる。
【００２１】
図２は、図１に示した発光装置１０ａを示す平面図である。図３は、図２から第２電極１３０を取り除いた図である。図４は、図２のＡ−Ａ断面図である。図２及び図３では、発光装置１０を基板１００の第１面１０２（図４）側から見ている。
【００２２】
図２では、説明のため、図４に示した有機層１２０、層２１１、被覆層２１２、中間層２１３、層２１４、被覆層２１５及び保護層２１６を示していない。さらに、図２に示す第２電極１３０の幅は、基板１００の幅に対する第２電極１３０の幅の相対的大きさを示唆するものではない（図２では、説明のため、基板１００の幅に対する第２電極１３０の幅の相対的大きさは、実際に製造され得る発光装置１０ａのそれよりも大きくなっている。）。
【００２３】
図２から図４を用いて、発光装置１０ａ（発光装置）の概要を説明する。発光装置１０ａは、第１電極１１０、有機層１２０、複数の第２電極１３０ａ（第１群の第２電極１３０）及び複数の第２電極１３０ｂ（第２群の第２電極１３０）を備えている。第１電極１１０は、基板１００の第１面１０２の上に位置している。有機層１２０は、第１電極１１０の上に位置している。複数の第２電極１３０ａは、有機層１２０の上に位置しており、第１方向（図２のＸ方向）に延在している。第２電極１３０ｂは、有機層１２０の上に位置しており、第１方向に直交する第２方向（図２のＹ方向）に延在している。図２に示すように、基板１００の第１面１０２は、第１領域１０２ａ、第２領域１０２ｂ及び第３領域１０２ｃを含んでいる。第１領域１０２ａには、複数の第２電極１３０ａが位置している。第２領域１０２ｂには、複数の第２電極１３０ｂが位置している。第３領域１０２ｃは、第１領域１０２ａと第２領域１０２ｂの間にあって、第３領域１０２ｃには、第２電極１３０が位置していない。特に図２に示す例では、複数の第２電極１３０ａのうちのすべてが複数の第２電極１３０ｂのいずれとも交わっていない。
【００２４】
上述した構成によれば、複数の第２電極１３０（複数の第２電極１３０ａ及び複数の第２電極１３０ｂ）を良好に蒸着させることができる。具体的には、仮に、複数の第２電極１３０ａのそれぞれが複数の第２電極１３０ｂのそれぞれと交わっていると、図６を用いて後述するように、複数の第２電極１３０の蒸着に用いられるマスクに、折れ曲がり部位（図６に示す折れ曲がり部位３２２）を含む開口が形成される。このようなマスクに重力がかかると、マスクが折れ曲がり部位及びその近傍において大きく歪む可能性、つまり、第２電極１３０を良好に蒸着することができなくなる可能性がある。これに対して、上述した構成においては、図５を用いて後述するように、折れ曲がり部位を含む開口をマスクに形成することなく、第２電極１３０を蒸着することができる。このようなマスクが重力によって歪む可能性は低い。したがって、複数の第２電極１３０（複数の第２電極１３０ａ及び複数の第２電極１３０ｂ）を良好に蒸着させることができる。
【００２５】
なお、複数の第２電極１３０ａのうちの一部が複数の第２電極１３０ｂのいずれかと交わっていてもよい。言い換えると、複数の第２電極１３０ａのうちの少なくとも１つは、複数の第２電極１３０ｂのいずれとも交わっていなくてもよい。この例においては折れ曲がり部位を含む開口がマスクに形成されるが、後述する図６に示す例（つまり、複数の第２電極１３０ａのうちのすべてが複数の第２電極１３０ｂのいずれかに交わる例）と比較して折れ曲がり部位の数を少なくすることができる。したがって、複数の第２電極１３０ａのうちの少なくとも１つが複数の第２電極１３０ｂのいずれとも交わっていない場合であっても、マスクの歪みを抑えることができ、複数の第２電極１３０をある程度良好に蒸着させることができる。
【００２６】
図２及び図３を用いて、発光装置１０ａの平面レイアウトの詳細を説明する。
【００２７】
発光装置１０ａは、基板１００、第１電極１１０、導電部１１２、端子１１４、複数の第２電極１３０、導電部１３２及び端子１３４を備えている。
【００２８】
基板１００は、Ｌ字の形状を有している。具体的には、基板１００は、辺１００ａ、辺１００ｂ、辺１００ｃ、辺１００ｄ、辺１００ｅ及び辺１００ｆを有している。基板１００は、辺１００ａから辺１００ｂにかけて延在している。辺１００ｃ及び辺１００ｄは、辺１００ａ及び辺１００ｂからそれぞれ延在して互いに交わっている。辺１００ｅ及び辺１００ｆは、辺１００ｃ及び辺１００ｄの反対側にそれぞれあって辺１００ａ及び辺１００ｂからそれぞれ延在して互いに交わっており、辺１００ｃ及び辺１００ｄよりそれぞれ長くなっている。
【００２９】
基板１００は、湾曲可能な材料からなっている。したがって、図１に示したように、発光装置１０ａ（つまり、基板１００）を湾曲させることができる。
【００３０】
第１電極１１０は、互いに分離した複数のセグメントを有しており、図３に示す例では、第１セグメント１１０ａ及び第２セグメント１１０ｂを有している。第１セグメント１１０ａ及び第２セグメント１１０ｂは、辺１００ａから辺１００ｂにかけて、すなわち、第１領域１０２ａから第３領域１０２ｃを経由して第２領域１０２ｂにかけて連続して延在している。第１セグメント１１０ａ及び第２セグメント１１０ｂは、基板１００の延在方向に交わる方向、すなわち、辺１００ｃ及び辺１００ｄから辺１００ｅ及び辺１００ｆに向かう方向に並んでいる。第１セグメント１１０ａの方が第２セグメント１１０ｂよりも辺１００ｃ及び辺１００ｄの近くに位置しており、第２セグメント１１０ｂの方が第１セグメント１１０ａよりも辺１００ｅ及び辺１００ｆの近くに位置している。
【００３１】
複数のセグメント（第１セグメント１１０ａ及び第２セグメント１１０ｂ）を複数の第２電極１３０の延在方向に交わる方向に沿って並べることで、第１セグメント１１０ａから構成される発光部１４２（例えば、図４）及び第２セグメント１１０ｂから構成される発光部１４２（例えば、図４）を互いに独立して制御することが可能となる。
【００３２】
第１電極１１０は、マスクを用いた蒸着を行うことなく形成させることができる。したがって、第１電極１１０は、第２電極１３０とは異なり、第３領域１０２ｃにおいて途切れる必要がない。このため、第１電極１１０（第１セグメント１１０ａ及び第２セグメント１１０ｂ）は、第１領域１０２ａから第３領域１０２ｃを経由して第２領域１０２ｂにかけて連続して延在している。他の例において、第１電極１１０は、マスクを用いて蒸着形成してもよい。この際、第１電極１１０は、第３領域１０２ｃにおいて途切れていてもよい。第２電極１３０と同様に第１電極１１０を良好に蒸着させることができる。
【００３３】
導電部１１２は、第１電極１１０の補助電極として機能している。具体的には、２つの導電部１１２が、辺１００ａから辺１００ｂにかけて、すなわち、第１領域１０２ａから第３領域１０２ｃを経由して第２領域１０２ｂにかけて延在している。各導電部１１２のシート抵抗は、第１電極１１０のシート抵抗より低い。各導電部１１２は、第１電極１１０に含まれる導電材料よりも高い導電率を有する材料（例えば、金属、より具体的には、ＭＡＭ（Ｍｏ／Ａｌ／Ｍｏ））からなっている。図３に示す例では、一方の導電部１１２は、辺１００ｃ及び辺１００ｄに沿って延在して、第１セグメント１１０ａに覆われており、もう一方の導電部１１２は、辺１００ｅ及び辺１００ｆに沿って延在して、第２セグメント１１０ｂに覆われている。
【００３４】
第１電極１１０は、端子１１４を介して発光装置１０の外部から電位を供給されることができる。具体的には、辺１００ｃ及び辺１００ｄに沿って延在している導電部１１２の一端及び他端には、辺１００ａに沿って配置された端子１１４及び辺１００ｂに沿って配置された端子１１４がそれぞれ接続されている。同様にして、辺１００ｅ及び辺１００ｆに沿って延在している導電部１１２の一端及び他端には、辺１００ａに沿って配置された端子１１４及び辺１００ｂに沿って配置された端子１１４がそれぞれ接続されている。
【００３５】
導電部１１２の両端に端子１１４を接続することで、導電部１１２の延在方向における導電部１１２の電圧降下を抑えることができる。導電部１１２の電圧降下を抑えることで、発光部１４２（例えば、図４）の輝度分布のばらつきを抑えることができる。
【００３６】
複数の第２電極１３０は、複数の第２電極１３０ａ及び複数の第２電極１３０ｂを含んでいる。複数の第２電極１３０ａは、辺１００ａから第３領域１０２ｃに向けて第１方向（図２のＸ方向）にストライプ状に延伸している。図２に示す例では、複数の第２電極１３０ａは、辺１００ｃから辺１００ｅに向けて第２方向（図２のＹ方向）に沿って実質的に等間隔に並べられている。他の例において、隣り合う第２電極１３０ａの間隔は、隣り合う第２電極１３０ａの組に応じて異なっていてもよい。複数の第２電極１３０ｂは、辺１００ｂから第３領域１０２ｃに向けて第２方向（図２のＹ方向）にストライプ状に延伸している。図２に示す例では、複数の第２電極１３０ｂは、辺１００ｄから辺１００ｆに向けて第１方向（図２のＸ方向）に沿って実質的に等間隔に並べられている。他の例において、隣り合う第２電極１３０ｂの間隔は、隣り合う第２電極１３０ｂの組に応じて異なっていてもよい。
【００３７】
複数の第２電極１３０ａ及び複数の第２電極１３０ｂは、第３領域１０２ｃに関して実質的に対称に配置されている。具体的には、複数の第２電極１３０ａ及び複数の第２電極１３０ｂは、第３領域１０２ｃに関して実質的に対称に配置された一対の第２電極１３０を含んでおり、この一方の第２電極１３０のうちの一方の長さ及び幅は、この一対の第２電極１３０のうちのもう一方の長さ及び幅とそれぞれ実質的に等しくなっている。より詳細には、第３領域１０２ｃは、直線状であり、複数の第２電極１３０ａ及び複数の第２電極１３０ｂは、その直線に対して線対称に配置されている。したがって、当該一方の第２電極１３０から構成される発光部１４２（図４）の輝度分布と当該もう一方の第２電極１３０から構成される発光部１４２（図４）の輝度分布を第３領域１０２ｃに関してほぼ対称にさせることができる。
【００３８】
複数の第２電極１３０ａは、端子１３４を介して発光装置１０の外部から電位を供給されることができる。具体的には、端子１３４（第１端子）は、複数の第２電極１３０ａを挟んで第３領域１０２ｃの反対側に位置しており、図２及び図３に示す例では、辺１００ａに沿って配置されている。端子１３４は、端子１３４と複数の第２電極１３０ａの間の導電部１３２を介して複数の第２電極１３０ａに接続されている。
【００３９】
複数の第２電極１３０ｂは、端子１３４を介して発光装置１０の外部から電位を供給されることができる。具体的には、端子１３４（第２端子）は、複数の第２電極１３０ｂを挟んで第３領域１０２ｃの反対側に位置しており、図２及び図３に示す例では、辺１００ｂに沿って配置されている。端子１３４は、端子１３４と複数の第２電極１３０ｂの間の導電部１３２を介して複数の第２電極１３０ｂに接続されている。
【００４０】
複数の第２電極１３０ａに接続した端子１３４及び複数の第２電極１３０ｂに接続した端子１３４は、第３領域１０２ｃに関して実質的に対称な位置に配置されている。より詳細には、第３領域１０２ｃは、直線状であり、複数の第２電極１３０ａに接続した端子１３４及び複数の第２電極１３０ｂに接続した端子１３４は、その直線に対して線対称に配置されている。具体的には、複数の第２電極１３０ｂに接続した端子１３４から第３領域１０２ｃまでの距離は、複数の第２電極１３０ａに接続した端子１３４から第３領域１０２ｃまでの距離と実質的に等しくなっている。したがって、複数の第２電極１３０ａに接続した端子１３４から第３領域１０２ｃまでの発光部１４２（図４）の輝度分布と複数の第２電極１３０ｂに接続した端子１３４から第３領域１０２ｃまでの発光部１４２（図４）の輝度分布を第３領域１０２ｃに関してほぼ対称にさせることができる。
【００４１】
図４を用いて、発光装置１０ａの断面構造の詳細を説明する。
【００４２】
発光装置１０ａは、基板１００、第１電極１１０、有機層１２０、第２電極１３０、絶縁層１５０、層２１１、被覆層２１２、中間層２１３、層２１４、被覆層２１５及び保護層２１６を備えている。
【００４３】
発光装置１０ａは、複数の発光部１４２及び複数の透光部１４４を備えている。各発光部１４２は、第１電極１１０、有機層１２０及び第２電極１３０の積層構造からなっている。各透光部１４４は、隣り合う発光部１４２の間に位置している。発光装置１０ａは、複数の透光部１４４によって透光性を有している。
【００４４】
基板１００は、第１面１０２及び第２面１０４を有している。第１電極１１０、有機層１２０、第２電極１３０、絶縁層１５０、層２１１、被覆層２１２、中間層２１３、層２１４、被覆層２１５及び保護層２１６は、基板１００の第１面１０２側に位置している。第２面１０４は、第１面１０２の反対側に位置している。
【００４５】
基板１００は、透光性を有する材料からなっている。したがって、光は基板１００を透過することができる。
【００４６】
基板１００は、例えば、ガラス又は樹脂からなっている。樹脂は、例えば、ＰＥＮ（ポリエチレンナフタレート）、ＰＥＳ（ポリエーテルサルホン）、ＰＥＴ（ポリエチレンテレフタレート）又はポリイミドにすることができる。基板１００が樹脂からなる場合、基板１００のうちの第１面１０２及び第２面１０４の少なくとも一方は、無機バリア層（例えば、ＳｉＮｘ又はＳｉＯＮ）によって覆われていてもよい。有機層１２０を劣化させ得る物質（例えば、水蒸気）が基板１００を透過することを無機バリア層によって抑えることができる。
【００４７】
第１電極１１０は、透明導電材料を含んでおり、透光性を有している。透明導電材料は、例えば、金属酸化物（例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ））又はＩＧＺＯ（Ｉｎｄｉｕｍ  Ｇａｌｉｕｍ  Ｚｉｎｃ  Ｏｘｉｄｅ）、カーボンナノチューブ、導電性高分子（例えば、ＰＥＤＯＴ／ＰＳＳ）又は透光性を有する金属薄膜（例えば、Ａｇ）若しくは合金薄膜（例えば、ＡｇＭｇ）とすることができる。
【００４８】
図４に示す例では、第１電極１１０の第１セグメント１１０ａ及び第２セグメント１１０ｂは、複数の発光部１４２に亘って広がっている。複数の発光部１４２は、第１セグメント１１０ａと第２セグメント１１０ｂの間を除いて、共通の第１電極１１０を有している。
【００４９】
有機層１２０は、有機エレクトロルミネッセンスによって光を発する発光層（ＥＭＬ）を含んでおり、正孔注入層（ＨＩＬ）、正孔輸送層（ＨＴＬ）、電子輸送層（ＥＴＬ）及び電子注入層（ＥＩＬ）を適宜含んでいてもよい。第１電極１１０からＥＭＬに正孔が注入され、第２電極１３０からＥＭＬに電子が注入されて、ＥＭＬにおいて正孔及び電子が再結合して光が発せられる。
【００５０】
図４に示す例では、有機層１２０は、複数の発光部１４２に亘って広がっている。図４に示す例では、複数の発光部１４２から発せられる光の色は同一であり、例えば赤色にすることができる。この場合、各発光部１４２を構成する有機層１２０を互いに分離させる必要がなく、有機層１２０を複数の発光部１４２に亘って広げることができる。他の例において、各発光部１４２を構成する有機層１２０は、互いに分離されていてもよい。
【００５１】
第２電極１３０は、遮光性導電材料を含んでおり、遮光性、特に光反射性を有している。遮光性導電材料は、例えば、金属、特に、Ａｌ、Ａｕ、Ａｇ、Ｐｔ、Ｍｇ、Ｓｎ、Ｚｎ及びＩｎからなる群の中から選択される金属又はこの群から選択される金属の合金とすることができる。
【００５２】
絶縁層１５０は、２つの開口１５２を有している。一方の開口１５２は、第１セグメント１１０ａの一部を露出しており、もう一方の開口１５２は、第２セグメント１１０ｂの一部を露出している。各開口１５２内には、複数の発光部１４２が位置している。各発光部１４２において、第１電極１１０、有機層１２０及び第２電極１３０は、積層構造を構成している。
【００５３】
絶縁層１５０は、第１セグメント１１０ａのうちの第２セグメント１１０ｂの反対側の端部を覆っており、第２セグメント１１０ｂのうちの第１セグメント１１０ａの反対側の端部を覆っている。このようにして、第１電極１１０と第２電極１３０の接触、すなわち、第１電極１１０と第２電極１３０の短絡が防止されている。
【００５４】
図４に示す例では、第１セグメント１１０ａのうちの第２セグメント１１０ｂの反対側の端部は一の導電部１１２を覆っており、第２セグメント１１０ｂのうちの第１セグメント１１０ａの反対側の端部は他の導電部１１２を覆っている。本実施形態の説明から明らかなように、導電部１１２が設けられる位置は、図４に示す例に限定されるものではない。一例において、導電部１１２は、第１電極１１０上において絶縁層１５０によって覆われるようにしてもよい。
【００５５】
絶縁層１５０は、例えば、有機絶縁層（例えば、ポリイミド）又は無機絶縁層（例えば、ＳｉＯ２）にすることができる。
【００５６】
層２１１、被覆層２１２、中間層２１３、層２１４、被覆層２１５及び保護層２１６は、基板１００の第１面１０２から順に積層されている。層２１１、被覆層２１２、中間層２１３、層２１４、被覆層２１５及び保護層２１６は、発光部１４２、特に有機層１２０を封止する封止部として機能している。
【００５７】
層２１１は、被覆層２１２（後述するように、被覆層２１２は、ＡＬＤ（Ａｔｏｍｉｃ  Ｌａｙｅｒ  Ｄｅｐｏｓｉｔｉｏｎ）により形成されている。）の剥離を防ぐために設けられている。層２１１は、ＣＶＤ（Ｃｈｅｍｉｃａｌ  Ｖａｐｏｒ  Ｄｅｐｏｓｉｔｉｏｎ）により形成された層であり、無機材料（例えば、ＳｉＮ）を含んでいる。被覆層２１２を有機層（例えば、有機層１２０）上に直接形成すると、被覆層２１２が剥がれるおそれがある。層２１１によって被覆層２１２の剥がれを抑えることができる。
【００５８】
被覆層２１２は、発光部１４２、特に有機層１２０を劣化させ得る物質（例えば、水蒸気又は酸素）を遮蔽するために設けられている。被覆層２１２は、ＡＬＤにより形成された層であり、絶縁性の無機材料を含んでいる。
【００５９】
中間層２１３は、被覆層２１５（後述するように、被覆層２１５は、ＡＬＤにより形成されている。）の応力を緩和するために設けられている。一例において、中間層２１３は、樹脂層にすることができる。
【００６０】
層２１４は、被覆層２１５の剥離を防ぐために設けられている。層２１１は、スパッタにより形成された層であり、無機材料（例えば、ＳｉＯＮ）を含んでいる。被覆層２１５を有機層（例えば、中間層２１３）上に直接形成すると、被覆層２１５が剥がれるおそれがある。層２１４によって被覆層２１５の剥がれを抑えることができる。
【００６１】
被覆層２１５は、発光部１４２、特に有機層１２０を劣化させ得る物質（例えば、水蒸気又は酸素）を遮蔽するために設けられている。被覆層２１５は、ＡＬＤにより形成された層であり、絶縁性の無機材料を含んでいる。
【００６２】
保護層２１６は、発光部１４２、層２１１、被覆層２１２、中間層２１３、層２１４及び被覆層２１５を保護するために設けられている。一例において、保護層２１６は、樹脂層にすることができる。
【００６３】
図４に示す例では、中間層２１３の端部の外側において、被覆層２１２（無機層）及び層２１４（無機層）が互いに接している。つまり、被覆層２１２及び層２１４によって中間層２１３の端部が露出しないようになっている。したがって、発光部１４２、特に有機層１２０を劣化させ得る物質（例えば、水蒸気又は酸素）が中間層２１３の端部から侵入することを防ぐことができる。
【００６４】
なお、層２１１がＣＶＤによって形成されシリコン酸窒化物を含み、かつ層２１４がスパッタにより形成されシリコン酸窒化物を含むとき層２１４の酸素原子の組成比の方が被覆層２１２の酸素原子の組成比より大きい方が良い。このような構成にすることで、有機層１２０に近い層２１１によって高い防湿性を得られ、かつ、層２１４によって応力緩和の効果がより得られる。さらに、封止部のひび割れなど封止不良を低減することができる。
【００６５】
有機層１２０を封止するための構造は、図４に示す例（層２１１、被覆層２１２、中間層２１３、層２１４、被覆層２１５及び保護層２１６）に限定されるものではない。本実施形態の説明から明らかなように、図４に示す構造とは異なる構造によって有機層１２０を封止してもよい。
【００６６】
図４において黒矢印で示すように、発光部１４２においては、有機層１２０から発せられた光が第２電極１３０をほとんど透過することなく第２電極１３０によって反射されて、第１電極１１０及び基板１００を透過して基板１００の第２面１０４から出射される。
【００６７】
図４において白矢印で示すように、透光部１４４においては、発光装置１０の外部からの光が基板１００、第１電極１１０、有機層１２０、層２１１、被覆層２１２、中間層２１３、層２１４、被覆層２１５及び保護層２１６を透過する。したがって、図２に示した例において、発光装置１０ａは、複数の第２電極１３０ａのうち隣り合う第２電極１３０ａの間に透光部１４４（図４）を備え、複数の第２電極１３０ｂのうち隣り合う第２電極１３０ｂの間に透光部１４４（図４）を備えている。
【００６８】
図５は、図２から図４に示した発光装置１０ａの第２電極１３０の形成に用いられるマスク３００を示す平面図である。
【００６９】
マスク３００は、遮蔽材３１０及び複数の開口３２０を備えている。複数の開口３２０は、遮蔽材３１０に形成されている。複数の開口３２０は、複数の開口３２０ａ及び複数の開口３２０ｂを含んでいる。複数の開口３２０ａは、図中のＸ方向に延在している。複数の開口３２０ｂは、図中のＹ方向に延在している。遮蔽材３１０は、複数の開口３２０ａと複数の開口３２０ｂの間において、開口３２０が形成されていない部分（図中の部分３１２）を含んでいる。つまり、複数の開口３２０ａ及び複数の開口３２０ｂは、部分３１２において分離されている。複数の開口３２０ａのそれぞれによって複数の第２電極１３０ａ（図２）のそれぞれが形成され、複数の開口３２０ｂのそれぞれによって複数の第２電極１３０ｂ（図２）のそれぞれが形成され、部分３１２によって第３領域１０２ｃ（つまり、第２電極１３０が形成されない領域）が形成される。
【００７０】
図６は、比較例に係るマスク３００を示す平面図である。比較例に係るマスク３００は、以下の点を除いて、図５に示したマスク３００と同様である。
【００７１】
比較例では、図５に示した部分３１２に相当する領域において、複数の開口３２０ａのすべてが複数の開口３２０ｂのすべてと交わっている。したがって、すべての開口３２０に折れ曲がり部位３２２が形成されている。
【００７２】
図５に示したマスク３００と図６に示したマスク３００を比較する。図６に示したマスク３００においては、多くの折れ曲がり部位３２２が形成されているため、マスク３００に重力がかかるとマスク３００が歪む可能性が高い。これに対して、図５に示したマスク３００においては、図６に示した折れ曲がり部位３２２が形成されておらず、マスク３００に重力がかかってもマスク３００が歪む可能性が低い。したがって、図６に示したマスク３００よりも、図５に示したマスク３００を用いた方が、複数の第２電極１３０（図２）を良好に蒸着させることができる。
【００７３】
なお、図５に示した例とは異なる例において、複数の開口３２０ａのうちの一部が複数の開口３２０ｂのいずれかと交わっていてもよい。言い換えると、複数の第２電極１３０ａのうちの少なくとも１つは、複数の第２電極１３０ｂのいずれとも交わっていなくてもよい。この例においては、複数の開口３２０のうちの一部に折れ曲がり部位３２２が形成されるが、図６に示した例と比較して折れ曲がり部位３２２の数を少なくすることができる。したがって、複数の第２電極１３０ａのうちの少なくとも１つが複数の第２電極１３０ｂのいずれとも交わっていない場合であっても、マスク３００の歪みを抑えることができ、複数の第２電極１３０（図２）をある程度良好に蒸着させることができる。
【００７４】
次に、図４及び図５を用いて、発光装置１０ａの製造方法の一例を説明する。
【００７５】
まず、基板１００の第１面１０２上に第１電極１１０を形成する。一例において、第１電極１１０は、導電材料をパターニングすることによって形成させることができる。
【００７６】
次いで、基板１００の第１面１０２上に絶縁層１５０を形成する。一例において、絶縁層１５０は、絶縁材料をパターニングすることによって形成させることができる。
【００７７】
次いで、基板１００の第１面１０２上に有機層１２０を形成する。一例において、有機層１２０のうちの少なくとも一層は、塗布プロセスによって形成させることができる。
【００７８】
次いで、基板１００の第１面１０２上に第２電極１３０を形成する。第２電極１３０は、図５に示したマスク３００を用いた蒸着によって形成させることができる。
【００７９】
次いで、基板１００の第１面１０２上に層２１１、被覆層２１２、中間層２１３、層２１４、被覆層２１５及び保護層２１６を順に形成する。
【００８０】
このようにして、発光装置１０ａが製造される。
【００８１】
図７は、図２の変形例を示す図である。
【００８２】
複数の第２電極１３０ａ及び複数の第２電極１３０ｂは、第３領域１０２ｃに関して対称に配置されていない。具体的には、複数の第２電極１３０ａは、辺１００ａから辺１００ｆにかけて第１方向（図７のＸ方向）にストライプ状に延在している。複数の第２電極１３０ｂは、辺１００ｂから第２方向（図７のＹ方向）にストライプ状に延在している。複数の第２電極１３０ｂは、辺１００ｅに達しておらず、複数の第２電極１３０ａを挟んで辺１００ｅに対向している。第２電極１３０ｂは、第２電極１３０ａよりも短くなっている。
【００８３】
図７に示す例では、複数の第２電極１３０ａは、第１方向（図７のＸ方向）において実質的に等しい長さを有している。したがって、第２電極１３０ａの両端間の電圧降下が複数の第２電極１３０ａ間でばらつくことを抑えることができる。したがって、第２電極１３０ａの延在方向（図７のＸ方向）における発光部１４２（図４）の輝度が複数の第２電極１３０ａ間でばらつくことを抑えることができる。
【００８４】
同様にして、図７に示す例では、複数の第２電極１３０ｂは、第２方向（図７のＹ方向）において実質的に等しい長さを有している。したがって、第２電極１３０ｂの両端間の電圧降下が複数の第２電極１３０ｂ間でばらつくことを抑えることができる。したがって、第２電極１３０ｂの延在方向（図７のＹ方向）における発光部１４２（図４）の輝度が複数の第２電極１３０ｂ間でばらつくことを抑えることができる。
【００８５】
図８は、図７に示した発光装置１０ａの第２電極１３０の形成に用いられるマスク３００を示す平面図である。
【００８６】
複数の開口３２０ａ及び複数の開口３２０ｂは、部分３１２によって分離されている。したがって、開口３２０には、図６に示した折れ曲がり部位３２２に相当する折れ曲がり部位が形成されていない。
【００８７】
図８に示す例においても、マスク３００の歪みを抑えることができ、複数の第２電極１３０（図７）を良好に蒸着させることができる。
【００８８】
図９は、図１に示した発光装置１０ａ及び発光装置１０ｂの配置（発光モジュール）の第１例を説明するための図である。
【００８９】
図９を用いて発光モジュールの概要を説明する。発光モジュールは、発光装置１０ａ（第１発光装置）、発光装置１０ｂ（第２発光装置）及び反射部材２０を備えている。図４を用いて説明したように、発光装置１０ａは、発光部１４２及び透光部１４４を有している。発光装置１０ｂから発せられて反射部材２０によって反射された光の少なくとも一部（図９では、光Ｌ３）が発光装置１０ａの透光部１４４を透過する。
【００９０】
上述した構成によれば、発光装置１０ａから発せられる光と発光装置１０ｂから発せられる光を新規な方法で組み合わせることができる。具体的には、上述した構成においては、発光装置１０ｂから発せられて反射部材２０によって反射された光（図９の光Ｌ３）が発光装置１０ａの透光部１４４を透過する。したがって、発光装置１０ａから発せられる光と発光装置１０ｂから発せられる光を発光装置１０ａの透光部１４４によって組み合わせることができる。
【００９１】
一例において、発光装置１０ｂから発せられる光の波長は、発光装置１０ａから発せられる光の波長と実質的に等しくすることができる。この例においては、発光装置１０ａから発せられる光の輝度を、発光装置１０ｂが設けられていない例と比較して増強させることができる。
【００９２】
他の例において、発光装置１０ｂから発せられる光の波長は、発光装置１０ａから発せられる光の波長と異ならせることができる。この例においては、発光装置１０ａから発せられる光と発光装置１０ｂから発せられる光が組み合わせられることで、異なる色の光を発する発光層の塗り分けや複雑な回路システムを設けることなく発光装置１０ａから発せられる光の色及び発光装置１０ｂから発せられる光の色のいずれとも異なる色の光を生成することができる。
【００９３】
図９を用いて、発光モジュールの詳細を説明する。
【００９４】
発光装置１０ａの基板１００は、第１面１０２及び第２面１０４を有している。発光装置１０ａは、基板１００の第１面１０２が反射部材２０の反射面２２に対向するように配置されている。図４を用いて説明したように、有機層１２０（図４）から発せられる光のほとんどは、基板１００の第２面１０４から出射され、基板１００の第１面１０２からは出射されない。図９に示す例では、基板１００の第２面１０４から出射された光（光Ｌ１）は、反射部材２０の反射面２２で反射されることなく、反射部材２０の反射面２２から遠ざかる方向に向けて出射されている。
【００９５】
発光装置１０ｂは、第１面１２及び第２面１４を有している。第２面１４は、第１面１２の反対側に位置している。発光装置１０ｂは、第１面１２及び第２面１４の双方から光を発することが可能となっている。発光装置１０ｂは、第２面１４が反射部材２０の反射面２２に対向するように配置されている。図９に示す例では、発光装置１０ｂの第１面１２から発せられた光（光Ｌ２）は、反射部材２０の反射面２２で反射されることなく、反射部材２０の反射面２２から遠ざかる方向に向けて出射されており、発光装置１０ｂの第２面１４から発せられた光の少なくとも一部（光Ｌ３）は、反射部材２０の反射面２２によって反射されて発光装置１０ａに透光部１４４を透過している。
【００９６】
なお、発光装置１０ｂの第２面１４から発せられた光のすべてが反射部材２０の反射面２２によって反射されて発光装置１０ａに透光部１４４を透過する必要はなく、例えば、発光装置１０ｂの第２面１４から発せられた光の一部は、反射部材２０の反射面２２によって反射されて、発光装置１０ａを透過することなく反射部材２０の反射面２２から遠ざかる方向に向けて出射されてもよい。
【００９７】
発光装置１０ｂの第２面１４から発せられた光の少なくとも一部（光Ｌ３）は、反射部材２０の反射面２２との角度を適宜調整することで、基板１００の第２面１０４から光（光Ｌ１）と異なる指向性にすることができる。そのため、基板１００の第２面１０４からは、光Ｌ１及び光Ｌ３の一方の指向性又は光Ｌ１と光Ｌ３の両方の指向性を有する光を生成することができる。
【００９８】
図９に示す例では、発光装置１０ａ及び発光装置１０ｂは、互いに近接している。具体的には、発光装置１０ｂの第１面１２又は第２面１４に直交する方向において、発光装置１０ａの一部は、発光装置１０ｂの一部と重なっている。
【００９９】
図９に示す例では、発光装置１０ａの方が発光装置１０ｂよりも反射部材２０の反射面２２の近くに位置している。
【０１００】
図１０は、図９の第１の変形例を示す図である。
【０１０１】
図１０に示すように、発光装置１０ｂの方が発光装置１０ａよりも反射部材２０の反射面２２の近くに位置していてもよい。
【０１０２】
図１０に示す例においても、発光装置１０ａ及び発光装置１０ｂは、互いに近接している。具体的には、発光装置１０ｂの第１面１２又は第２面１４に直交する方向において、発光装置１０ａの一部は、発光装置１０ｂの一部と重なっている。
【０１０３】
図１１は、図９の第２の変形例を示す図である。
【０１０４】
図１１に示す例において、発光装置１０ａは、基板１００の第２面１０４が反射部材２０の反射面２２に対向するように配置されている。図９に示した例と同様にして、有機層１２０（図４）から発せられる光のほとんどは、基板１００の第２面１０４から出射され、基板１００の第１面１０２からは出射されない。図１１に示す例では、基板１００の第２面１０４から出射された光（光Ｌ１）は、反射部材２０の反射面２２で反射されて、発光装置１０ａを透過している。
【０１０５】
図１１に示す例においては、発光装置１０ｂから出射されて発光装置１０ａを透過する光（光Ｌ３）を見えやすくすることができる。具体的には、図１１に示す例においては、基板１００の第１面１０２側からは、発光装置１０ａから出射される光が直接見えない。したがって、発光装置１０ｂから出射されて発光装置１０ａを透過する光（光Ｌ３）が見えやすくなる。
【０１０６】
図１２は、図９に示した発光装置１０ｂの第１例を説明するための図である。
【０１０７】
発光装置１０ｂは、発光部材１０ｂ１（第１発光部材）及び発光部材１０ｂ２（第２発光部材）を含んでいる。発光部材１０ｂ１及び発光部材１０ｂ２のそれぞれは、基板１００及び発光部１４２を備えている。基板１００は、第１面１０２及び第２面１０４を有している。発光部１４２は、基板１００の第１面１０２側に位置している。第２面１０４は、第１面１０２の反対側に位置している。
【０１０８】
発光装置１０ｂは、第１面１２及び第２面１４の双方から光を出射することが可能となっている。具体的には、発光部材１０ｂ１及び発光部材１０ｂ２のそれぞれは、第２面１０４から光を発することが可能となっている。図１２に示す例では、黒矢印で示すように、発光部１４２から発せられた光が基板１００を透過して基板１００の第２面１０４から出射される。発光部材１０ｂ１及び発光部材１０ｂ２は、発光部材１０ｂ２の第１面１０２が発光部材１０ｂ１の第１面１０２に対向するように、接着層１６を介して支持部材４１０（支持部材４１０の詳細は、図２２から図２５を用いて後述する。）に接合されている。このようにして、発光装置１０ｂは、第１面１２及び第２面１４の双方から光を出射することが可能となっている。つまり、発光部材１０ｂ１の第２面１０４が発光装置１０ｂの第１面１２となっており、発光部材１０ｂ２の第２面１０４は発光装置１０ｂの第２面１４となっている。
【０１０９】
図１３は、図１２に示した発光部材１０ｂ１を示す平面図である。図１４は、図１３から第２電極１３０を取り除いた図である。図１５は、図１３のＢ−Ｂ断面図である。発光部材１０ｂ１は、以下の点を除いて、図２から図４に示した発光装置１０ａと同様である。
【０１１０】
図１３及び図１４を用いて、発光部材１０ｂ１の平面レイアウトの詳細を説明する。
【０１１１】
第２電極１３０は、辺１００ａから辺１００ｂにかけて、辺１００ｃ、辺１００ｄ、辺１００ｅ及び辺１００ｆに沿って連続して延在している。さらに、第２電極１３０は、辺１００ｃ及び辺１００ｄから辺１００ｅ及び辺１００ｆにかけて連続して広がっている。つまり、図１３に示す第２電極１３０は、図２に示した複数の第２電極１３０とは異なり、ストライプ状に配置されていない。したがって、発光部材１０ｂ１は、発光装置１０ａとは異なり、透光部１４４（図４）を有しておらず、透光性を有しない。
【０１１２】
図１５を用いて、発光部材１０ｂ１の断面構造の詳細を説明する。
【０１１３】
絶縁層１５０は、２つの開口１５２によって２つの発光部１４２をそれぞれ画定している。第１電極１１０の第１セグメント１１０ａは、２つの発光部１４２のうちの一方を構成しており、第１電極１１０の第２セグメント１１０ｂは、２つの発光部１４２のうちのもう一方を構成している。有機層１２０は、２つの発光部１４２に亘って広がっている。第２電極１３０も、２つの発光部１４２に亘って広がっている。
【０１１４】
発光部材１０ｂ１は、被覆層２２１、接着層２２２、乾燥剤２２３及び層２２４を備えている。被覆層２２１、接着層２２２、乾燥剤２２３及び層２２４は、基板１００の第１面１０２から順に積層されている。
【０１１５】
被覆層２２１は、発光部１４２、特に有機層１２０を劣化させ得る物質（例えば、水蒸気又は酸素）を遮蔽するために設けられている。被覆層２２１は、ＡＬＤにより形成された層であり、絶縁性の無機材料を含んでいる。
【０１１６】
接着層２２２は、乾燥剤２２３を接着させるために設けられている。
【０１１７】
乾燥剤２２３は、有機層１２０を水蒸気から保護するために設けられている。乾燥剤２２３は、接着層２２２を介して基板１００の第１面１０２に接着されている。
【０１１８】
層２２４は、乾燥剤２２３を覆っている。一例において、層２２４は、金属層（例えば、Ａｌ層）にすることができる。
【０１１９】
発光部材１０ｂ１の発光部１４２を封止するための構造は、図１５に示す例に限定されるものではない。本実施形態の説明から明らかなように、図１５に示す構造とは異なる構造によって発光部１４２を封止してもよい。
【０１２０】
図１５において黒矢印で示すように、有機層１２０から発せられた光のほとんどは、基板１００の第２面１０４から出射され、基板１００の第１面１０２側には出射されない。具体的には、基板１００及び第１電極１１０は、透光性を有しており、第２電極１３０は、遮光性、特に光反射性を有している。したがって、有機層１２０から発せられた光は、第２電極１３０をほとんど透過することなく、第２電極１３０によって反射されて第１電極１１０及び基板１００を透過して、基板１００の第２面１０４から出射される。
【０１２１】
発光部材１０ｂ２（図１２）も、図１３から１５に示した発光部材１０ｂ１と同様の構成を有している。
【０１２２】
図１６は、図９に示した発光装置１０ｂの第２例を説明するための図である。図１６に示す発光装置１０ｂは、以下の点を除いて、図１５に示した発光部材１０ｂ１と同様である。
【０１２３】
図１６において黒矢印で示すように、有機層１２０から発せられた光のうちのおおよそ半分は、基板１００の第２面１０４から出射され、有機層１２０から発せられた光のうちの残りのおおよそ半分は、保護層２１６（つまり、基板１００の第１面１０２側）から出射されている。具体的には、基板１００及び第１電極１１０は透光性を有しており、第２電極１３０も透光性を有している。したがって、有機層１２０から発せられた光は、第１電極１１０及び基板１００だけでなく、第２電極１３０も透過することができる。したがって、有機層１２０から発せられた光のうちのおおよそ半分は、基板１００の第２面１０４から出射され、有機層１２０から発せられた光のうちの残りのおおよそ半分は、保護層２１６（つまり、基板１００の第１面１０２側）から出射されている。つまり、基板１００の第２面１０４は、発光装置１０ｂの第１面１２及び第２面１４の一方（図９）となっており、保護層２１６の表面は、発光装置１０ｂの第１面１２及び第２面１４のもう一方（図９）となっている。
【０１２４】
第２電極１３０は、第１電極１１０と同様にして、透明導電材料を含んでおり、透光性を有している。透明導電材料は、例えば、金属酸化物（例えば、ＩＴＯ、ＩＺＯ、ＩＷＺＯ、ＺｎＯ）又はＩＧＺＯ、カーボンナノチューブ、導電性高分子（例えば、ＰＥＤＯＴ／ＰＳＳ）又は透光性を有する金属薄膜（例えば、Ａｇ）若しくは合金薄膜（例えば、ＡｇＭｇ）とすることができる。第２電極１３０に含まれる透明導電材料は、第１電極１１０に含まれる透明導電材料と同一であってもよいし、又は異なっていてもよい。
【０１２５】
図１６に示す例において、発光装置１０ｂは、図４に示した発光装置１０ａの封止構造と同様の封止構造（層２１１、被覆層２１２、中間層２１３、層２１４、被覆層２１５及び保護層２１６）を備えている。したがって、有機層１２０から発せられた光は、この封止構造を透過することができる。
【０１２６】
図１７は、図９に示した発光装置１０ｂの第３例を説明するための図である。
【０１２７】
図１７に示す例において、発光装置１０ｂは、２つの第１電極１１０、２つの有機層１２０及び１つの第２電極１３０を備えている。第１電極１１０は、透光性を有しており、第２電極１３０は、遮光性、具体的には光反射性を有している。２つの有機層１２０は、第２電極１３０を挟んで互いに反対側に位置している。２つの第１電極１１０は、第２電極１３０及び２つの有機層１２０を挟んで互いに反対側に位置している。つまり、第２電極１３０は、第２電極１３０の一方の側の第１電極１１０及び有機層１２０とともに１つの発光部を構成しており、第２電極１３０のもう一方の側の第１電極１１０及び有機層１２０とともにもう一つの発光部を構成している。言い換えると、これら２つの発光部が第２電極１３０を共有している。
【０１２８】
図１７において黒矢印で示すように、一方の有機層１２０から発せられた光は、第２電極１３０とは反対側に向けて第１電極１１０を透過して出射され、もう一方の有機層１２０から発せられた光は、第２電極１３０とは反対側に向けて第１電極１１０を透過して出射される。このようにして、発光装置１０ｂは、図９に示したように、発光装置１０ｂの両面（図９の第１面１２及び第２面１４）から光を発することができる。
【０１２９】
図１８は、図１に示した複数の発光装置１０ｃの配置（発光モジュール）の一例を説明するための図である。図１９は、図１８に示した複数の発光装置１０ｃを基板１００の第２面１０４側から見た図である。図２０は、図１９のＣ−Ｃ断面図である。
【０１３０】
図２０を用いて、発光モジュールの概要を説明する。発光モジュールは、複数の発光装置１０ｃを備えている。複数の発光装置１０ｃは、第１方向（図２０のＸ方向）に並んでいる。複数の発光装置１０ｃは、領域ＲＧ（すなわち、複数の発光装置１０ｃの一方の側に位置する領域）に向けて光を発する。複数の発光装置１０ｃは、配光分布Ｄ（すなわち、第１方向（図２０のＸ方向）及び第２方向（図２０のＺ方向：複数の発光装置１０ｃの光の照射方向）の双方に沿った断面（図２０のＺＸ面）における配光分布）において、互いに異なる方向にピーク（図２０において、ピークを矢印で示している。）を有している。
【０１３１】
上述した構成によれば、複数の発光装置１０ｃに対向する領域（特に、図２０の領域ＲＧ）に向けて広角度に亘って高光度の光を発することができる。具体的には、上述した構成においては、複数の発光装置１０ｃは、配光分布Ｄにおいて、互いに異なる方向にピークを有している。したがって、各発光装置１０ｃにおける配光分布Ｄのピークが特定の方向のみに局在しておらず、当該ピークを広角度に亘って分散させることができる。したがって、複数の発光装置１０ｃに対向する領域に向けて広角度に亘って高光度の光を発することができる。
【０１３２】
各発光装置１０ｃは、発光領域１４０（発光部１４２）を有している。発光装置１０ｃは、例えば、図１２から図１５に示した発光部材１０ｂ１と同様の構成を有している。発光装置１０ｃから発せられる光の波長は、発光部材１０ｂ１から発せられる光の波長と異なっていてもよいし、又は実質的に同一であってもよい。
【０１３３】
図１８を用いて、発光モジュールの詳細を説明する。
【０１３４】
複数の発光装置１０ｃは、上述した断面（図２０のＺＸ面）に沿った方向から見て、領域ＲＧ（図２０）に向けて凸に湾曲している。複数の発光装置１０ｃは、実質的に同一の形状を有しており、具体的には、実質的に等しい曲率で湾曲している。本実施形態の説明から明らかなように、複数の発光装置１０ｃは、互いに異なる曲率で湾曲していてもよい。
【０１３５】
図１９を用いて、発光モジュールの詳細を説明する。
【０１３６】
複数の発光装置１０ｃは、実質的に同一の形状を有している。したがって、複数の発光装置１０ｃのそれぞれの発光領域１４０（発光部１４２）の面積は、実質的に等しくなっている。
【０１３７】
図２０を用いて、発光装置１０ｃの詳細を説明する。
【０１３８】
図２０に示す例において、各発光装置１０ｃの配光分布Ｄは、ランバーシアンである。この例において、配光分布Ｄのピークの方向は、発光装置１０ｃの第２面１０４の法線方向となる。他の例において、各発光装置１０ｃの配光分布Ｄは、ランバーシアンと異なる分布にしてもよい。
【０１３９】
図２０に示す例では、第１方向（図２０のＸ方向）に対するピークの方向（図２０の黒矢印の方向）の角度（θ１、θ２、θ３、θ４、θ５及びθ６）が発光装置１０ｃによって異なっている。具体的には、図２０において、左側の発光装置１０ｃから右側の発光装置１０ｃに向かうにつれて、当該角度は大きくなっている（θ１＜θ２＜θ３＜θ４＜θ５＜θ６）。つまり、複数の発光装置１０ｃは、第１発光装置（発光装置１０ｃ）、第２発光装置（発光装置１０ｃ）及び第３発光装置（発光装置１０ｃ）を第１方向（図２０のＸ方向）に沿って順に含んでおり、上述した角度が第１発光装置、第２発光装置及び第３発光装置の順に大きく、又は小さくなっている。このような構成によれば、複数の発光装置１０ｃに対向する領域（図２０の領域ＲＧ）に向けて発せられる光の配光分布のばらつきを抑えることができる。
【０１４０】
各発光装置１０における配光分布Ｄのピークの方向は、種々の方法によって調節することができる。図２０に示す例では、発光装置１０ｃの第２面１０４の法線方向、つまり、発光装置１０ｃの設置角度によって、配光分布Ｄのピークの方向を調節している。より詳細には、第１方向（図２０のＸ方向）に対する各発光装置１０ｃの端部の傾き（図２０のφ１からφ６）が発光装置１０ｃによって異なっており、図２０に示す例では、φ１＜φ２＜φ３＜φ４＜φ５＜φ６となっている。
【０１４１】
図２１は、図２０の変形例を示す図である。
【０１４２】
図２１に示す例では、第１方向（図２０のＸ方向）に対する各発光装置１０ｃの端部の傾きは、各発光装置１０ｃについて、一定（φ）となっている。一方、各発光装置１０ｃは、配光分布Ｄのピークの方向が発光装置１０ｃによって異なるように、互いに異なる曲率で湾曲している。図２１に示す例においても、各発光装置１０における配光分布Ｄのピークの方向を調節することができる。
【０１４３】
図２２は、発光装置１０を支持部材４１０に取り付ける方法を説明するための図である。図２３は、図２２のＤ−Ｄ断面図である。図２４は、図２２に示した支持部材４１０を設置する方法（発光モジュール）を説明するための図である。
【０１４４】
図２４を用いて、発光モジュールの概要を説明する。
【０１４５】
発光モジュールは、発光装置１０、支持部材４１０及び遮蔽部材４２０を備えている。支持部材４１０は、第１領域４１０ａ及び第２領域４１０ｂを有している。第２領域４１０ｂは、第１領域４１０ａと異なる領域である。発光装置１０は、支持部材４１０の第１領域４１０ａに取り付けられている。遮蔽部材４２０は、第１開口４２２ａを有している。支持部材４１０のうちの第１領域４１０ａ及び第２領域４１０ｂは、第１開口４２２ａを挟んで互いに反対側に位置している。具体的には、支持部材４１０のうちの第１領域４１０ａ及び第２領域４１０ｂは、遮蔽部材４２０を挟んで互いに反対側に位置するように第１領域４１０ａから第２領域４１０ｂにかけて第１開口４２２ａを通過している。支持部材４１０の第２領域４１０ｂは、部材４２４ａ（すなわち、遮蔽部材４２０に対して第２領域４１０ｂと同じ側に位置する部材）に固定されている。
【０１４６】
上述した構成によれば、発光装置１０を設置するための構造を目立たなくすることができる。具体的には、上述した構成においては、支持部材４１０は、第１領域４１０ａ及び第２領域４１０ｂが遮蔽部材４２０を挟んで互いに反対側に位置するように第１領域４１０ａから第２領域４１０ｂにかけて第１開口４２２ａを通過しており、支持部材４１０の第２領域４１０ｂは、部材４２４ａに固定されている。発光装置１０を設置するための構造（例えば、部材４２４ａ及びその周囲）は、遮蔽部材４２０を挟んで発光装置１０の反対側に設けることができ、遮蔽部材４２０によって発光装置１０側からはほぼ見えなくなる。したがって、発光装置１０を設置するための構造を目立たなくすることができる。
【０１４７】
図２４に示す例では、発光モジュールは、第１配線部材４３０ａを備えている。第１配線部材４３０ａは、発光装置１０に接続されており、第１領域４１０ａから第２領域４１０ｂを経由して支持部材４１０の外側まで延在している。第１配線部材４３０ａは、遮蔽部材４２０の第１開口４２２ａを通過している。
【０１４８】
上述した構成によれば、発光装置１０に電力を供給するための構造を目立たなくすることができる。具体的には、上述した構成においては、第１配線部材４３０ａは、遮蔽部材４２０の第１開口４２２ａを通過している。発光装置１０には、第１配線部材４３０ａを介して電力を供給することができる。電力を供給するための構造（例えば、第１配線部材４３０ａに接続した回路）は、遮蔽部材４２０を挟んで発光装置１０の反対側に設けることができ、遮蔽部材４２０によって発光装置１０側からはほぼ見えなくなる。したがって、発光装置１０に電力を供給するための構造を目立たなくすることができる。
【０１４９】
さらに、上述した構成によれば、支持部材４１０及び第１配線部材４３０ａは、共通の開口（つまり、第１開口４２２ａ）を経由して遮蔽部材４２０を通過することができる。したがって、遮蔽部材４２０に形成する開口の数を少なくすることができる。
【０１５０】
他の例において、支持部材４１０及び第１配線部材４３０ａは、異なる開口を経由して遮蔽部材４２０を通過してもよい。この例においても、発光装置１０を設置するための構造及び発光装置１０に電力を供給するための構造を目立たなくすることができる。
【０１５１】
図２４に示す例では、支持部材４１０は、第３領域４１０ｃを有している。第３領域４１０ｃは、第１領域４１０ａを挟んで第２領域４１０ｂの反対側にある。遮蔽部材４２０は、第２開口４２２ｂを有している。支持部材４１０のうちの第１領域４１０ａ及び第３領域４１０ｃは、第２開口４２２ｂを挟んで互いに反対側に位置している。具体的には、支持部材４１０のうちの第１領域４１０ａ及び第３領域４１０ｃは、遮蔽部材４２０を挟んで互いに反対側に位置するように第１領域４１０ａから第３領域４１０ｃにかけて第２開口４２２ｂを通過している。支持部材４１０の第３領域４１０ｃは、部材４２４ｂ（すなわち、遮蔽部材４２０に対して第３領域４１０ｃと同じ側に位置する部材）に固定されている。
【０１５２】
上述した構成によれば、上述した理由と同様にして、発光装置１０を設置するための構造（例えば、部材４２４ｂ及びその周囲）を目立たなくすることができる。
【０１５３】
さらに、上述した構成によれば、支持部材４１０の両側を固定することができる。したがって、支持部材４１０を安定的に設置することができる。特に図２４に示すように、第１開口４２２ａから第２開口４２２ｂにかけて支持部材４１０の第１領域４１０ａを湾曲させることができる。
【０１５４】
図２４に示す例では、発光モジュールは、第２配線部材４３０ｂを備えている。第２配線部材４３０ｂは、発光装置１０に接続されており、第１領域４１０ａから第３領域４１０ｃを経由して支持部材４１０の外側まで延在している。第２配線部材４３０ｂは、遮蔽部材４２０の第２開口４２２ｂを通過している。
【０１５５】
上述した構成によれば、上述した理由と同様にして、発光装置１０に電力を供給するための構造（例えば、第２配線部材４３０ｂに接続した回路）を目立たなくすることができる。
【０１５６】
さらに、上述した構成によれば、支持部材４１０及び第２配線部材４３０ｂは、共通の開口（つまり、第２開口４２２ｂ）を経由して遮蔽部材４２０を通過することができる。したがって、遮蔽部材４２０に形成する開口の数を少なくすることができる。
【０１５７】
他の例において、支持部材４１０及び第２配線部材４３０ｂは、異なる開口を経由して遮蔽部材４２０を通過してもよい。この例においても、発光装置１０を設置するための構造及び発光装置１０に電力を供給するための構造を目立たなくすることができる。
【０１５８】
図２２を用いて、発光モジュールの詳細を説明する。
【０１５９】
図２２に示す発光装置１０は、例えば、図２から図４に示した発光装置１０ａ又は図１３から図１５に示した発光部材１０ｂ１と同様の構成を有している。
【０１６０】
支持部材４１０は、Ｌ字の形状を有している。具体的には、支持部材４１０は、第１領域４１０ａから第２領域４１０ｂにかけて第１方向（図２２のＹ方向）に延在する部分及び第１領域４１０ａから第３領域４１０ｃにかけて第１方向に交わる第２方向（図２２のＸ方向）に延在する部分を含んでいる。第２領域４１０ｂは、発光装置１０の辺１００ａより外側に突出しており、第３領域４１０ｃは、発光装置１０の辺１００ｂより外側に突出している。
【０１６１】
発光装置１０には、複数の配線部材４３０が接続している。配線部材４３０は、例えば、ＦＰＣ（ｆｌｅｘｉｂｌｅ  ｐｒｉｎｔｅｄ  ｃｉｒｃｕｉｔ）にすることができる。図２２に示す例では、第１配線部材４３０ａ（配線部材４３０）が発光装置１０の辺１００ａに接続しており、第２配線部材４３０ｂ（配線部材４３０）が発光装置１０の辺１００ｂに接続している。配線部材４３０は、端子１１４及び端子１３４（例えば、図２、図３、図１３及び図１４）に接続している。したがって、配線部材４３０は、第１電極１１０及び第２電極１３０（例えば、図４及び図１５）に電気的に接続することができる。
【０１６２】
図２２に示す例では、第１配線部材４３０ａの一部分を挟んで両側において支持部材４１０に開口４１６が形成されており、第２配線部材４３０ｂの一部分を挟んで両側において支持部材４１０に開口４１６が形成されている。開口４１６は、支持部材４１０を固定するために設けられている。特に後述する図２４に示す例では、開口４１６を通じて部材４２４ａ（部材４２４ｂ）にねじをねじ込むことで支持部材４１０を固定している。
【０１６３】
図２３を用いて、発光モジュールの詳細を説明する。
【０１６４】
支持部材４１０は、第１面４１２及び第２面４１４を有している。第２面４１４は、第１面４１２の反対側にある。発光装置１０は、基板１００の第１面１０２が支持部材４１０の第１面４１２と対向するように、接着層４４０を介して支持部材４１０に取り付けられている。配線部材４３０の一部分は、接着層４４０に埋め込まれている。
【０１６５】
支持部材４１０は、金属（例えばＡｌ）からなっている。この場合、支持部材４１０は、均熱板としての機能を有することができる。他の例としては、支持部材４１０は、透光性の樹脂（例えばアクリル）からなっていてもよく、発光領域外で発光装置１０を固定してもよい。この場合、接着層４４０を透明部材とすることで発光装置１０ａを支持しても透光性を損なうことを抑えることができる。
【０１６６】
図２４を用いて、発光モジュールの詳細を説明する。
【０１６７】
図２４に示す例では、支持部材４１０の第２領域４１０ｂは、固定部材（具体的には、ねじ）によって支持部材４１０の第２領域４１０ｂ側から第３領域４１０ｃ側に向かう方向に部材４２４ａに固定されており、支持部材４１０の第３領域４１０ｃは、固定部材（具体的には、ねじ）によって支持部材４１０の第３領域４１０ｃ側から第２領域４１０ｂ側に向かう方向に部材４２４ｂに固定されている。支持部材４１０の第１領域４１０ａの湾曲によって、支持部材４１０には、第２領域４１０ｂと第３領域４１０ｃが互いに離れる方向に支持部材４１０が変形するように内部応力（復元力）が生じている。上述した固定部材によって、内部応力による支持部材４１０の変形を抑えることができる。
【０１６８】
図２５は、図２２の変形例を示す図である。
【０１６９】
発光モジュールは、複数の遮蔽膜４５０（第１遮蔽膜４５０ａ及び第２遮蔽膜４５０ｂ）を備えている。第１遮蔽膜４５０ａは、第１配線部材４３０ａの一部分を覆っている。この一部分は、図２４において、遮蔽部材４２０に対して第１領域４１０ａと同じ側に位置する部分である。したがって、第１配線部材４３０ａの一部分が図２４において発光装置１０側に露出しても、この一部分を第１遮蔽膜４５０ａによって隠すことができる。第２遮蔽膜４５０ｂは、第２配線部材４３０ｂの一部分を覆っている。この一部分は、図２４において、遮蔽部材４２０に対して第１領域４１０ａと同じ側に位置する部分である。したがって、第２配線部材４３０ｂの一部分が図２４において発光装置１０側に露出しても、この一部分を第２遮蔽膜４５０ｂによって隠すことができる。
【０１７０】
遮蔽膜４５０は、配線部材４３０を隠すため、遮蔽膜４５０の周囲の部材の外観（例えば、色又は光沢）と類似した外観（例えば、色又は光沢）を有することが好ましい。例えば、発光装置１０の第２電極１３０（例えば、図４及び１５）が目立つ場合は、遮蔽膜４５０は、発光装置１０の第２電極１３０の外観と類似した外観（例えば、銀色）を有するようにしてもよい。
【０１７１】
以上、本実施形態によれば、新規な構造を有する発光装置及び発光モジュールが提供される。
【０１７２】
以上、図面を参照して実施形態及び実施例について述べたが、これらは本発明の例示であり、上記以外の様々な構成を採用することもできる。
【０１７３】
この出願は、２０１７年１０月２０日に出願された日本出願特願２０１７−２０３２１８号を基礎とする優先権を主張し、その開示の全てをここに取り込む。
【図１】
2019078318.tif 000003
【図２】
2019078318.tif 000004
【図３】
2019078318.tif 000005
【図４】
2019078318.tif 000006
【図５】
2019078318.tif 000007
【図６】
2019078318.tif 000008
【図７】
2019078318.tif 000009
【図８】
2019078318.tif 000010
【図９】
2019078318.tif 000011
【図１０】
2019078318.tif 000012
【図１１】
2019078318.tif 000013
【図１２】
2019078318.tif 000014
【図１３】
2019078318.tif 000015
【図１４】
2019078318.tif 000016
【図１５】
2019078318.tif 000017
【図１６】
2019078318.tif 000018
【図１７】
2019078318.tif 000019
【図１８】
2019078318.tif 000020
【図１９】
2019078318.tif 000021
【図２０】
2019078318.tif 000022
【図２１】
2019078318.tif 000023
【図２２】
2019078318.tif 000024
【図２３】
2019078318.tif 000025
【図２４】
2019078318.tif 000026
【図２５】
2019078318.tif 000027
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
基板の第１面の上に位置する第１電極と、
前記第１電極の上に位置する有機層と、
前記有機層の上に位置し、第１方向に延在する第１群の第２電極と、
前記有機層の上に位置し、前記第１方向と交わる第２方向に延在する第２群の第２電極と、
を備え、
前記第１面は、前記第１群の第２電極が位置する第１領域と、前記第２群の第２電極が位置する第２領域と、前記第１領域と前記第２領域の間にあって第２電極が位置しない第３領域と、を含む発光装置。
【請求項２】
請求項１に記載の発光装置において、
前記第１群の第２電極に接続した第１端子と、
前記第２群の第２電極に接続した第２端子と、
を備え、
前記第１端子は、前記第１群の第２電極を挟んで前記第３領域の反対側に位置しており、
前記第２端子は、前記第２群の第２電極を挟んで前記第３領域の反対側に位置している発光装置。
【請求項３】
請求項２に記載の発光装置において、
前記第２端子から前記第３領域までの距離は、前記第１端子から前記第３領域までの距離と実質的に等しい発光装置。
【請求項４】
請求項１から３までのいずれか一項に記載の発光装置において、
前記第１群の第２電極と前記第２群の第２電極は、前記第３領域に関して実質的に対称に配置された一対の第２電極を含んでおり、
前記一対の第２電極のうちの一方の長さ及び幅は、前記一対の第２電極のうちのもう一方の長さ及び幅とそれぞれ実質的に等しい発光装置。
【請求項５】
請求項１から４までのいずれか一項に記載の発光装置において、
前記第１電極は、互いに分離された複数のセグメントを有しており、
前記複数のセグメントは、前記第１群の第２電極及び前記第２群の第２電極の延在方向に交わる方向に沿って並んでいる発光装置。
【請求項６】
請求項１から５までのいずれか一項に記載の発光装置において、
前記第１電極は、前記第１領域から前記第３領域を経由して前記第２領域にかけて連続して延在している発光装置。
【請求項７】
請求項１から６までのいずれか一項に記載の発光装置において、
前記第１群の第２電極のうち隣り合う第２電極の間に透光部を備え、
前記第２群の第２電極のうち隣り合う第２電極の間に透光部を備える発光装置。
【請求項８】
基板の第１面の上に位置する第１電極と、
前記第１電極の上に位置する有機層と、
前記有機層の上に位置し、第１方向に延在する第１群の第２電極と、
前記有機層の上に位置し、前記第１方向と交わる第２方向に延在する第２群の第２電極と、
を備え、
前記第１群の第２電極のうちの少なくとも１つは、前記第２群の第２電極のいずれとも交わっていない発光装置。
【請求項９】
請求項８に記載の発光装置において、
前記第１群の第２電極のうちのすべてが前記第２群の第２電極のいずれとも交わっていない発光装置。
【手続補正３】
【補正対象書類名】明細書
【補正対象項目名】００１０
【補正方法】変更
【補正の内容】
【００１０】
他の発明は、
発光部及び透光部を有する第１発光装置と、
第２発光装置と、
反射部材と、
を備え、
前記第２発光装置から発せられて前記反射部材によって反射された光の少なくとも一部が前記第１発光装置の前記透光部を透過する発光モジュールである。
【手続補正４】
【補正対象書類名】明細書
【補正対象項目名】００１１
【補正方法】変更
【補正の内容】
【００１１】
さらに他の発明は、
第１方向に並ぶ複数の発光装置を備え、
前記複数の発光装置は、前記複数の発光装置の一方の側に位置する領域に向けて光を発し、
前記複数の発光装置は、前記第１方向及び前記複数の発光装置の光の照射方向である第２方向の双方に沿った断面における配光分布において、互いに異なる方向にピークを有する発光モジュールである。
【手続補正５】
【補正対象書類名】明細書
【補正対象項目名】００１２
【補正方法】変更
【補正の内容】
【００１２】
さらに他の発明は、
第１領域と、前記第１領域と異なる第２領域と、を有する支持部材と、
前記支持部材の前記第１領域に取り付けられた発光装置と、
第１開口を有する遮蔽部材と、
を備え、
前記支持部材のうちの前記第１領域及び前記第２領域は、前記第１開口を挟んで互いに反対側に位置しており、
前記支持部材の前記第２領域は、前記遮蔽部材に対して前記第２領域と同じ側に位置する部材に固定されている発光モジュールである。
【手続補正６】
【補正対象書類名】明細書
【補正対象項目名】００９５
【補正方法】変更
【補正の内容】
【００９５】
発光装置１０ｂは、第１面１２及び第２面１４を有している。第２面１４は、第１面１２の反対側に位置している。発光装置１０ｂは、第１面１２及び第２面１４の双方から光を発することが可能となっている。発光装置１０ｂは、第２面１４が反射部材２０の反射面２２に対向するように配置されている。図９に示す例では、発光装置１０ｂの第１面１２から発せられた光（光Ｌ２）は、反射部材２０の反射面２２で反射されることなく、反射部材２０の反射面２２から遠ざかる方向に向けて出射されており、発光装置１０ｂの第２面１４から発せられた光の少なくとも一部（光Ｌ３）は、反射部材２０の反射面２２によって反射されて発光装置１０ａの透光部１４４を透過している。
【国際調査報告】
2019078318.tif 000028
2019078318.tif 000029
2019078318.tif 000030
2019078318.tif 000031
2019078318.tif 000032
2019078318.tif 000033
2019078318.tif 000034
2019078318.tif 000035
2019078318.tif 000036